(57)【要約】【課題】フィン詰まりによる熱交換器の寿命の時期を好適にユーザに報知する。【解決手段】給湯装置１の給湯制御部１０は、燃焼量が所定燃焼量より小さいときは燃焼器３をオンオフ燃焼させ、燃焼量が所定燃焼量以上であるときは燃焼器３を比例燃焼させる。給湯制御部１０は、燃焼器３がオンオフ燃焼をする毎に所定の値をカウントし、その積算値が所定値（４０万）に達すると、オンオフ燃焼の不完全燃焼により発生した煤が熱交換器４のフィン４１の隙間に堆積することによる熱交換器４の寿命時期と推定し、リモコンの表示部にその旨の警告表示を行う。【選択図】  図１
2004169940.tif 000002
【特許請求の範囲】
【請求項１】
周囲に複数のフィンが設けられた管体からなる熱交換器と、この熱交換器を加熱する燃焼器とを備え、前記熱交換器の管体内に流入される水を温水にして流出する給湯装置において、
前記燃焼器が燃焼を開始しその後に所定時間内にその燃焼を停止したときには、その燃焼回数もしくは燃焼時間を積算カウントする積算カウント手段と、
前記積算カウント手段の積算燃焼回数が所定値に達するか、もしくは前記積算カウント手段の積算燃焼時間が所定時間に達すると、報知する報知手段と、
を備えたことを特徴とする給湯装置。
【請求項２】
周囲に複数のフィンが設けられた管体からなる熱交換器と、この熱交換器を加熱する燃焼器とを備え、前記熱交換器の管体内に流入される水を温水にして流出する給湯装置において、
燃焼量が予め設定された所定燃焼量より小さいとき、前記燃焼器をオンオフ燃焼させ、前記燃焼量が前記所定燃焼量以上であるとき、前記燃焼器を比例燃焼させる燃焼制御手段と、
前記燃焼器がオンオフ燃焼する毎に所定の数値をカウントするカウント手段と、
前記カウント手段でカウントされた数値が予め設定された所定値に達すると、報知する報知手段と、
を備えたことを特徴とする給湯装置。
【請求項３】
周囲に複数のフィンが設けられた管体からなる熱交換器と、この熱交換器を加熱する燃焼器とを備え、前記熱交換器の管体内に流入される水を温水にして流出する給湯装置において、
燃焼量が小領域ではオンオフ燃焼させ、小領域を超える燃焼領域では比例燃焼させる燃焼制御手段と、
前記燃焼器がオンオフ燃焼する際に、そのオンオフ燃焼時間を計時する計時手段と、
前記計時手段で計時された時間が所定値に達すると、報知する報知手段と、
を備えたことを特徴とする給湯装置。
【請求項４】
請求項２又は３に記載の給湯装置において、
前記燃焼器がオンオフ燃焼する毎に当該オンオフ燃焼の燃焼時間を計時する計時手段を更に備え、
前記カウント手段は、前記計時手段で計時されるオンオフ燃焼の燃焼時間に応じてカウントする数値を変化させることを特徴とする給湯装置。
【請求項５】
請求項１〜３のいずれかに記載の給湯装置において、
前記燃焼器が所定時間以上の燃焼をする毎に前記カウント手段でカウントされた値を予め設定された所定の値だけ減算する減算手段を更に備えたことを特徴とする給湯装置。
【請求項６】
請求項１〜３のいずれかに記載の給湯装置において、
前記燃焼器が所定時間以上の比例燃焼をしたときは、前記カウント手段でカウントされた値をゼロにリセットするリセット手段を更に備えたことを特徴とする給湯装置。
【請求項７】
周囲に複数のフィンが設けられた管体からなる熱交換器と、この熱交換器を加熱する燃焼器とを備え、前記熱交換器の管体に流入される水を温水にして流出する給湯装置において、
燃焼量が予め設定された所定燃焼量より小さいとき、前記燃焼器をオンオフ燃焼させ、前記燃焼量が前記所定燃焼量以上であるとき、前記燃焼器を比例燃焼させる燃焼制御手段と、
前記燃焼器がオンオフ燃焼する毎に所定の数値をカウントするカウント手段と、
前記カウント手段でカウントされた数値が予め設定された所定値に達すると、前記燃焼器の燃焼動作を禁止する燃焼禁止手段と、
を備えたことを特徴とする給湯装置。
【請求項８】
請求項７記載の給湯装置において、
操作手段の所定の操作により前記燃焼器の燃焼動作の禁止を解除する解除手段と、
前記燃焼器の燃焼動作の禁止が解除されると、前記熱交換器の寿命時期としてその旨を報知する報知手段と、
前記燃焼器の燃焼動作の禁止が解除されると、その後の前記燃焼器の燃焼時間を積算する燃焼時間積算手段と、
前記報知手段による寿命時期の報知がされている状態で、前記燃焼時間積算手段による燃焼時間の積算値が所定値に達すると、給湯能力を制限する能力制限手段と、
を更に備えたことを特徴とする給湯装置。
【発明の詳細な説明】
【０００１】
【発明の属する技術分野】
本発明は、燃焼缶体内に、周囲に複数のフィンが設けられた管体からなる熱交換器（フィンチューブ型熱交換器）とこの熱交換器を加熱する燃焼器とを備えた給湯装置に関するものである。
【０００２】
【従来の技術】
従来、フィンチューブ型熱交換機を備えた給湯装置において、熱交換器のフィン詰まりを検出し、警告を行う給湯装置が知られている。例えば特開平８―２３３２５９号公報には、熱交換器の燃焼排気下流側に温度センサを設け、この温度センサの検出値が所定の基準温度設定値より大きくなると、警報表示を行う給湯装置が示されている。この給湯装置は、熱交換器にフィン詰まりが発生すると、熱交換器にフィン詰まりが発生していないときに比べて排気ガスの温度が高くなる現象に着目し、排気ガスの温度が所定の基準温度設定値よりも大きくなると、熱交換器にフィン詰まりが発生しているとして、異常警告を行なうものである。
【０００３】
また、従来、燃焼が不完全燃焼になると、それを検出して燃焼動作を停止させる給湯装置が提案されている。例えば特開平８−３１２９４８号公報には、燃焼が停止しファン残しが終了した時点よりファンを最大回転速度で一定時間回転させ、その時点のファンの駆動電流を検出し、その検出値が所定の閾値以下であれば、運転を禁止する給湯装置が提案されている。この給湯装置は、給湯装置の給気から排気の経路に埃などが詰まり、空気不足による燃焼異常（不完全燃焼）が発生している場合はファンの駆動電流が低下することに着目し、ファンの駆動電流が所定の閾値以下に低下すると、運転を禁止して空気不足による不完全燃焼を防止するものである。
【０００４】
【特許文献１】
特開平８−２３３２５９号公報
【特許文献２】
特開平８−３１２９４８号公報
【０００５】
【発明が解決しようとする課題】
ところで、灯油などのオイルをノズルにより霧状に噴霧して燃焼する燃焼器と、周囲に多数のフィンが設けられた水管を燃焼器の熱で加熱して当該水管内を流れる水を温水にするフィンチューブ型熱交換器とを備えた給湯装置においては、たとえば少量出湯や濾過機などで浴槽内の昇温のみに使用するなどの低出力の給湯が行われる場合は、短時間に燃焼器のバーナのオン（点火）・オフ（消火）を繰り返す燃焼動作（以下、オンオフ燃焼という。）が行われる。このオンオフ燃焼では、着火時及び消化時に煤が発生する。従って、短時間にこの着火及び消化を繰り返すと、燃焼缶体内に煤が発生し、この煤が熱交換器のフィンの間にも堆積して当該熱交換器の熱効率を低下させ、延いては熱交換器を寿命に至らしめる。
【０００６】
従って、フィン詰まりにより熱交換器の寿命時期が近い場合は、ユーザにその旨を報知し、サービスマンによるメンテナンスを促すことがアフターサービス上好ましいが、従来、そのような給湯装置は提案されておらず、商品化もなされていない。
【０００７】
なお、上記特開平８−２３３２５９号公報に記載のフィン詰まり検出の技術は、燃焼ガス中の硫黄等の腐食成分を含む水分がフィンに付着し、腐食成分の酸化物がフィンに堆積したり、高温燃焼時に生成される金属酸化物がフィンに堆積したりしてフィン詰まりが発生する場合のもので、短時間のオンオフ燃焼による不完全燃焼を繰り返すことにより発生する煤によりフィン詰まりとなる場合のものではないため、給湯装置のフィンチューブ型熱交換器の寿命時期の推定に上記従来技術を適用しても適切に寿命時期を推定することはできない。
【０００８】
特に、燃焼器のオンオフ燃焼により熱交換器のフィンに煤が堆積する場合は、燃焼器の比例燃焼により当該煤が吹き飛ばされ、フィン詰まりの症状が低減されることがあるため、フィン詰まりの状態のみを推定し得る上記特開平８−２３３２５９号公報に記載の技術では熱交換器の寿命時期を推定することは困難である。
【０００９】
また、上記特開平８−３１２９４８号公報に記載の不完全燃焼を検出する技術は、ファンにより燃焼室に供給される空気の給排気経路における目詰まり等に起因する不完全燃焼を検出するもので、不完全燃焼に起因するフィン詰まりに基づく熱交換器の寿命時期を検出するものではない。従って、上記特開平８−３１２９４８号公報に記載の技術はフィン詰まりによる熱交換器の寿命時期の推定に適用することはできない。
【００１０】
本発明は、上記の点に鑑みて提案されたものであって、不完全燃焼に起因する煤が熱交換器のフィンに堆積し、フィン詰まりにより熱交換器が寿命時期に到る場合、その寿命の時期を好適にユーザに報知することのできる給湯装置を提供するものである。
【００１１】
【課題を解決するための手段】
請求項１記載の発明は、周囲に複数のフィンが設けられた管体からなる熱交換器と、この熱交換器を加熱する燃焼器とを備え、前記熱交換器の管体内に流入される水を温水にして流出する給湯装置において、前記燃焼器が燃焼を開始しその後に所定時間内にその燃焼を停止したときには、その燃焼回数あるいは燃焼時間を積算カウントする積算カウント手段と、前記積算カウント手段の積算燃焼回数が所定値に達するか、もしくは前記積算カウント手段の積算燃焼時間が所定時間に達すると、報知する報知手段とを備えたものである。
【００１２】
上記構成によれば、燃焼器が燃焼を開始しその後、所定時間内にその燃焼を停止したときには、その燃焼回数もしくは燃焼時間が積算カウントされ、その積算燃焼時間が所定値に達するか、もしくは積算燃焼時間が所定時間に達すると、報知手段によりその旨が報知される。すなわち、燃焼器の燃焼のうち、燃焼時間の短い燃焼では、不完全燃焼により煤が発生し、その煤が熱交換器のフィンに堆積して熱交換器の能力を低下させるが、そのような燃焼の燃焼回数もしくは燃焼時間を積算し、その積算値が所定の燃焼回数もしくは所定の燃焼時間に達すると、フィン詰まりによる熱交換器の寿命時期と推定してその旨が報知される。
【００１３】
請求項２記載の発明は、周囲に複数のフィンが設けられた管体からなる熱交換器と、この熱交換器を加熱する燃焼器とを備え、前記熱交換器の管体に流入される水を温水にして流出する給湯装置において、燃焼量が予め設定された所定燃焼量より小さいとき、前記燃焼器をオンオフ燃焼させ、前記燃焼量が前記所定燃焼量以上であるとき、前記燃焼器を比例燃焼させる燃焼制御手段と、前記燃焼器がオンオフ燃焼する毎に所定の数値をカウントするカウント手段と、前記カウント手段でカウントされた数値が予め設定された所定値に達すると、報知する報知手段とを備えたものである。
【００１４】
上記構成によれば、燃焼器がオンオフ燃焼する毎にカウント手段で所定の数値がカウントされ、そのカウント値が予め設定された所定値に達すると、その旨が報知される。すなわち、燃焼器をオンオフ燃焼させると、不完全燃焼により煤が発生し、その煤が熱交換器のフィンに堆積して熱交換器の能力を低下させるが、オンオフ燃焼の回数を積算し、所定の回数に達すると、フィン詰まりによる熱交換器の寿命時期と推定してその旨が報知される。
【００１５】
請求項３記載の発明は、周囲に複数のフィンが設けられた管体からなる熱交換器と、この熱交換器を加熱する燃焼器とを備え、前記熱交換器の管体内に流入される水を温水にして流出する給湯装置において、燃焼量が小領域ではオンオフ燃焼させ、小領域を超える燃焼領域では比例燃焼させる燃焼制御手段と、前記燃焼器がオンオフ燃焼する際に、そのオンオフ燃焼時間を計時する計時手段と、前記計時手段で計時された時間が所定値に達すると、報知する報知手段と、を備えたものである。
【００１６】
上記構成によれば、燃焼器がオンオフ燃焼する際に、計時手段でそのオンオフ燃焼時間が計時され、その計時値が予め設定された所定値に達すると、その旨が報知される。すなわち、燃焼器をオンオフ燃焼させると、不完全燃焼により煤が発生し、その煤が熱交換器のフィンに堆積して熱交換器の能力を低下させるが、オンオフ燃焼の燃焼時間を計時し、その燃焼時間の積算値が所定の時間に達すると、フィン詰まりによる熱交換器の寿命時期と推定してその旨が報知される。
【００１７】
請求項４記載の発明は、請求項２又は３に記載の給湯装置において、前記燃焼器がオンオフ燃焼する毎に当該オンオフ燃焼の燃焼時間を計時する計時手段を更に備え、前記カウント手段は、前記計時手段で計時されるオンオフ燃焼の燃焼時間に応じてカウントする数値を変化させるものである。
【００１８】
上記構成によれば、燃焼器がオンオフ燃焼する毎に計時手段でその燃焼時間が計時され、カウント手段で燃焼時間に応じた所定の数値がカウントされる。すなわち、オンオフ燃焼の燃焼時間によって煤の発生が異なり、フィン詰まりの程度が異なるため、カウント手段は燃焼時間に応じた重みを付けた数値をカウントする。これによりフィン詰まりによる熱交換器の寿命時期の推定精度が向上する。
【００１９】
請求項５記載の発明は、請求項１〜３のいずれかに記載の給湯装置において、前記燃焼器が所定時間以上の燃焼をする毎に前記カウント手段でカウントされた値を予め設定された所定の値だけ減算する減算手段を更に備えたものである。
【００２０】
上記構成によれば、燃焼器が所定時間以上の燃焼をする毎に減算手段によりカウント手段でカウントされた値が予め設定された所定の値だけ減算される。燃焼器が比例燃焼しているときは、その燃焼により熱交換器のフィンに堆積した煤が除去されるので、カウント手段でカウントされた値から所定の値を減算することにより比例燃焼によるフィン詰まりの低減効果を加味することができる。これによりフィン詰まりによる熱交換器の寿命時期の推定精度がより向上する。
【００２１】
請求項６記載の発明は、請求項１〜３のいずれかに記載の給湯装置において、前記燃焼器が所定時間以上の比例燃焼をしたとき、前記カウント手段でカウントされた値をゼロにリセットするリセット手段を更に備えたものである。
【００２２】
上記構成によれば、燃焼器が所定時間以上の比例燃焼をしたときは、カウント手段でカウントされた値がゼロにリセットされる。比例燃焼が所定時間以上継続したときは、熱交換器のフィンに堆積した煤をほぼ除去し得るため、そのような燃焼条件が満たされたときは、カウント手段のカウント値をゼロリセットすることによりフィン詰まりによる熱交換器の寿命時期の推定精度をより向上させることができる。
【００２３】
請求項７記載の発明は、周囲に複数のフィンが設けられた管体からなる熱交換器と、この熱交換器を加熱する燃焼器とを備え、前記熱交換器の管体に流入される水を温水にして流出する給湯装置において、燃焼量が予め設定された所定燃焼量より小さいとき、前記燃焼器をオンオフ燃焼させ、前記燃焼量が前記所定燃焼量以上であるとき、前記燃焼器を比例燃焼させる燃焼制御手段と、前記燃焼器がオンオフ燃焼する毎に所定の数値をカウントするカウント手段と、前記カウント手段でカウントされた数値が予め設定された所定値に達すると、前記燃焼器の燃焼動作を禁止する燃焼禁止手段とを備えたものである。
【００２４】
上記構成によれば、燃焼器がオンオフ燃焼する毎にカウント手段で所定の数値がカウントされ、そのカウント値が予め設定された所定値に達すると、燃焼禁止手段より燃焼器の燃焼動作が禁止される。すなわち、オンオフ燃焼の回数を積算し、所定の回数に達すると、フィン詰まりによる熱交換器の寿命時期と推定して燃焼器の燃焼動作が禁止される。これによりユーザは給湯装置の異常を確実に知ることができる。
【００２５】
請求項８記載の発明は、請求項７記載の給湯装置において、操作手段の所定の操作により前記燃焼器の燃焼動作の禁止を解除する解除手段と、前記燃焼器の燃焼動作の禁止が解除されると、前記熱交換器の寿命時期としてその旨を報知する報知手段と、前記燃焼器の燃焼動作の禁止が解除されると、その後の前記燃焼器の燃焼時間を積算する燃焼時間積算手段と、前記報知手段による寿命時期の報知がされている状態で、前記燃焼時間積算手段による燃焼時間の積算値が所定値に達すると、給湯能力を制限する能力制限手段とを更に備えたものである。
【００２６】
上記構成によれば、操作手段の所定の操作により燃焼器の燃焼動作の禁止が解除されると、熱交換器の寿命時期が報知されるとともに、その後の燃焼器の燃焼時間が積算され、報知手段による寿命時期の報知がされている状態で、燃焼時間積算手段による燃焼時間の積算値が所定値に達すると、給湯能力が制限される。
【００２７】
すなわち、燃焼動作の禁止を解除することによりユーザは再び給湯装置を所定の燃焼時間だけ動作させることが可能になり、その後は能力が制限されるようになるので、このような給湯装置の動作の異常により、熱交換器の寿命時期が推定された場合にも直ちに給湯装置の使用を完全に禁止する不都合を与えることなく確実に給湯装置のメンテナンス時期をユーザに知らせることができる。
【００２８】
【発明の実施の形態】
図１は、本発明に係る給湯装置の一実施形態の全体構成を示す図である。
【００２９】
給湯装置１は、燃焼缶体２、この燃焼缶体２の上部に設けられる燃焼器３、この燃焼缶体２の下部に設けられる熱交換器４、この燃焼缶体２の下端に接続される排気筒５、熱交換器４に水を供給する給水部６、熱交換器４から給湯栓１２に湯を供給する給湯部７、給水部６から供給される水の一部を給湯部７に導く給水バイパス部８、燃焼器３に灯油などのオイル燃料を供給する給油部９、および給湯装置１の給湯動作を制御する給湯制御部１０で構成されている。
【００３０】
燃焼缶体２は、中空の略直方体形状の箱体をなし、上部に燃焼器３が取り付けられ、下端にＬ字上に屈曲した排気筒５が連接されている。排気筒５の先端部の外側適所には外気の風圧を検出する風圧スイッチ５１が設けられている。燃焼缶体２は、燃焼器３によるオイルの燃焼を行う部屋を構成するとともに、この燃焼器３により発生した熱を熱交換器４に伝達する部屋を構成している。燃焼缶体２内の上部であって、燃焼器３の下端を臨む所定の位置に当該燃焼器３で発生する炎が熱交換器４に直接当たらないように炎を分散するためのリボン状のバッフル板２１が設けられている。燃焼缶体２内の下部には周面に複数のフィン４１が所定の間隔で突設された銅管４２からなる熱交換器４（フィンチューブ型熱交換器）が取り付けられ、この熱交換器４の入水端には給水部６を構成する給水管６１が接続され、熱交換器４の出水端には給湯部７を構成する給湯管７１が接続されている。
【００３１】
燃焼器３は、オイルを霧状に噴霧するノズル３１、このノズル３１から噴霧されるオイルに点火する一対の電極棒３２、この一対の電極棒３２間に高圧を印加して火花放電を発生させる点火トランス３３、燃焼室に空気を供給する、たとえばシロッコファンからなる送風ファン３４、送風ファンの回転数を検出する回転数センサ３５、燃焼器３が燃焼しているか否かを検出する、例えばフォトトランジスタ３６、および排気筒５からの逆風により燃焼器３の燃焼に異常が発生したことを検出するバーナハイリミッタ３７を備える。燃焼器３のノズル３１、電極棒３２、フォトトランジスタ３６およびバーナハイリミッタ３７は、燃焼缶体２の上端端面に配置され、送風ファン３４は、燃焼缶体２の上端に送風経路を介して配置される。
【００３２】
燃焼器３は、送風ファン３４を駆動して燃焼缶体２の燃焼室２ａに空気を送るとともに、ノズル３１からオイル（灯油）を霧状にして燃焼室２ａに噴出し、一対の電極棒３２に高圧を印加して放電により火花を発生させると、これによりオイルに点火して燃焼を開始する。燃焼器３の燃焼により発生する燃焼ガスは燃焼筒５を介して外部に放出される。燃焼器３の燃焼により発生した熱は、燃焼室２ａ内の下部に設けられた銅管４２のフィン４１を加熱し、この熱が銅管４２を流れる水に伝達されて湯が生成される。オイルに点火して炎が発生すると、フォトトランジスタ３６によりその炎の色が検出され、この検出信号により燃焼器３が燃焼しているか否かを判別することができるようになっている。また、外気に強風が発生し、排気筒５を介して燃焼缶体２の燃焼室２ａに空気が逆流した場合、ノズル３１の炎が送風ファン３４側に逆流し、異常な燃焼状態となるが、この異常燃焼はバーナハイリミッタ３７により検出され、この検出信号に基づいて燃焼器３の燃焼は強制的に停止されるようになっている。
【００３３】
給油部９は、供給したオイルの一部を回収し、油元から供給されるオイルに合流させてノズル３１にオイルを供給する方式（いわゆるリターン方式）によりオイルをノズルに供給するものである。給油部９は、油元からオイルを供給する第１油管９１、オイルをノズル３１に供給する第２油管９２、ノズル３１から供給したオイルの一部を給油側に戻す第３油管９３、この第３油管９３と第１油管９１の接続点に設けられ、第３湯管９３を通して戻る戻り湯量を調節して第２油管９２を介してノズル３１に供給するオイルの量を制御する制御弁９４、第３油管９３の制御弁９４の上流位置に設けられ、還流されるオイルの温度を検出する油温サーミスタ９５、第１油管９１の先端部に設けられ、油元からのオイルの供給を制御する電磁弁９６、および第２油管９２の基端部に設けられ、オイルを所定圧でノズル３１に供給するための電磁ポンプ９７を備えている。
【００３４】
給油部９は、電磁弁９７が開かれると、油元から供給されるオイルが電磁ポンプ９７により所定圧に加圧されてノズル３１に供給される。ノズル３１に供給されたオイルは、一部が燃焼に利用され、残りは第３油管９３を介して戻された後に、再度第２油管９２に戻される。第３油管９３を介して戻されるオイルの温度は油温サーミスタ９５により検出され、この温度に基づいて制御弁９４により油元から供給されるオイルに合流させる第３油管９３を介して戻されたオイルの量が調整される。すなわち、温度によってオイルの粘性が変化し、第２油管９２を流れる単位時間当たりのオイル量が変化するため、第２油管９２に供給するオイル量を制御弁９４により適正に調整している。
【００３５】
給水部６は、図略の貯水槽から供給される水を熱交換器４に導く銅管（給水管）６１、この銅管６１の基端部に設けられ、供給される水を濾過するフィルタ６２、この銅管６１の水流分岐点の下流側に設けられ、熱交換器４に供給される水量を検出する缶体水量センサ６３、およびこの缶体水量センサ６３の下流側適所に設けられた当該銅管６１を流れる水の温度を検出する入水サーミスタ６４を備えている。
【００３６】
給湯部７は、熱交換器４から供給される湯を給湯栓１２に導く銅管（給湯管）７１、この給湯管７１のバイパス管８１との合流点より上流側の適所に設けられ、当該給湯管７１に流れる水量を制御する缶体水量サーボ７２、この缶体水量サーボ７２の下流側適所に設けられ、当該給湯管７１に流れる湯の温度を検出する缶体サーミスタ７３、および給湯管７１のバイパス管８１との合流点の下流位置に給湯栓１２から放出される湯の温度を検出する出湯サーミスタ７４を備えている。
【００３７】
給水バイパス部８は、給水管６１からの給水の一部を給湯管７１に導く銅管（バイパス管）８１、このバイパス管８１の適所に設けられ、当該バイパス管８１に流れる水量を制御するバイパス水量サーボ８２、およびこのバイパス水量サーボ８２の上量側適所に設けられ、当該バイパス管８１の水量を検出するバイパス水量センサ８３を備えている。また、バイパス管８１と給湯管７１の合流点には給湯栓１２に導かれる湯の温度を均一にするべく水と湯とを攪拌する湯水攪拌機構１１が設けられている。
【００３８】
給湯栓１２が開かれると、貯水槽から供給される水が給水管６１、熱交換器４、および給湯管７１の経路と給水管６１、バイパス管８１、および給湯管７１の経路で流れ、給湯栓１２から放出される。缶体水量センサ６３により検出される水量が、給湯装置１が給湯動作を開始するための最小作動流量以上になると、燃焼器３の燃焼動作が開始され、熱交換器４から湯が供給されるようになる。燃焼が開始されると、熱交換器４を流れる水量に応じて燃焼器３の燃焼量が変化するため、燃焼器３の燃焼能力を超えないように熱交換器４を流れる水量が缶体水量サーボ７２により自動調整される。また、熱交換器４から供給される湯の温度は缶体サーミスタ７３により検出され、この検出温度と燃焼能力とに基づいて燃焼器３の燃焼動作が制御され、給湯管７１に流れる湯（熱交換器４で生成され湯）の温度が所定の温度（例えば８５℃前後）に保持される。
【００３９】
一方、出湯サーミスタ７４により給湯栓１２から供給される湯の温度が検出され、この検出温度とユーザによって設定された出湯温度とに基づいてバイパス水量サーボ８２により湯水攪拌機構１１に供給される水の量が制御される。すなわち、熱交換器４からの湯と混合される水の量がバイパス水量サーボ８２により自動調整され、これにより給湯栓１２から、設定された出湯温度の湯が安定供給される。
【００４０】
給湯制御部１０は、主としてマイクロコンピュータなどの電子回路で構成され、上述した給湯動作を統括制御する。給湯制御部１０は、図示はしていないが、二芯線により給湯装置１を遠隔操作するためのリモートコントローラ（以下、リモコンという。）に通信可能に接続され、このリモコンから送信される操作情報に基づいて給湯動作を制御する。給湯制御部１０は、燃焼量が所定値未満（例えば６号未満）のとき、燃焼器３をオンオフ燃焼させ、燃焼量が所定値以上のとき、燃焼器３を比例燃焼させる。また、本実施形態に係る給湯装置１は、後述するように燃焼器３がオンオフ燃焼する毎に所定の値を積算カウントし、そのカウント値が所定値（例えば４０万）に達すると、熱交換器４のフィン４１に不完全燃焼による煤が堆積し、寿命時期が近いと推定してその旨の警告表示を行うようになっている。給湯制御部１０は、かかる警告機能も制御する。
【００４１】
図２は、本発明に係る給湯装置の給湯制御に関係するブロック構成図である。
【００４２】
同図は、給湯装置にリモコンを接続した構成のブロック図である。ブロック１００は、給湯装置側の構成であり、ブロック２００はリモコン側の構成である。給湯装置ブロック１００において、図１の全体構成図に示した部材と同一部材には同一の符合を付している。なお、図１の全体構成図に示す部材と同一部材については、上述しているので、以下の説明では詳細説明は省略する。
【００４３】
給湯装置側ブロック１００とリモコン側ブロック２００は、２芯線からなる通信線３００で接続され、この通信線３００を介して給湯装置側ブロック１００からリモコン側ブロック２００に駆動電源（直流電源）が供給されるとともに、給湯装置側ブロック１００とリモコン側ブロック２００との間で所要のデータが交信されるようになっている。データ通信は、たとえばＡＳＫ（Ａｍｐｌｉｔｕｄｅ  Ｓｈｉｆｔ  Ｋｅｙｉｎｇ）方式により所定の搬送波をＡＭ変調したＡＭ変調波（デジタルデータの０，１を所定の搬送波の有、無に置き換えたＡＭ変調波）を、通信線上に供給される直流電源に重畳することにより行われる。
【００４４】
給湯装置ブロック１００において、制御部１０１は、給湯装置の給湯動作を制御するもので、主としてＣＰＵ（Ｃｅｎｔｒａｌ  Ｐｒｏｃｅｓｓｉｎｇ  Ｕｎｉｔ）１０１ａ、ＲＯＭ（Ｒｅａｄ  ｏｎｌｙ  Ｍｅｍｏｒｙ）１０１ｂ、ＲＡＭ（Ｒａｎｄｏｍ  Ａｃｃｅｓｓ  Ｍｅｍｏｒｙ）１０１ｃ及びタイマ１０１ｄを１チップに内蔵してなるマイクロコンピュータで構成されている。
【００４５】
ＣＰＵ１０１ａはＲＯＭ１０１ｂに記憶されている制御プログラムを実行することにより給湯装置全体の動作を制御するものである。ＲＯＭ１０１ｂにはＣＰＵ１０１ａの制御プログラムやこの制御プログラムを実行するために必要なディフォルトデータなどが記憶されている。また。ＲＡＭ１０１ｃはＣＰＵ１０１ａが制御プログラムを実行するためのワークエリアを提供するもので、ＲＯＭ１０１ｂから読み出された制御プログラムやこの制御プログラムの実行により生成される種々のデータを一時的に保存する。
【００４６】
制御部１０１は、後述するように燃焼器３のオンオフ燃焼をカウントし、そのカウント値が所定値に達すると、熱交換器４が寿命時期に来ていることを警告する警告動作も行う。タイマ１０１ｄは、ＣＰＵ１０１ａによるこの寿命警告動作の制御における燃焼器３の燃焼時間を計時する際に利用される。
【００４７】
通信部１０２は、リモコン２００とのデータ通信を制御するものである。通信部１０２は、所定の搬送波を発生する搬送波発生回路、制御部１０１から入力されるデータで搬送波をＡＳＫ方式によりＡＭ変調する変調回路、ＡＭ変調波を電源部１０５から入力される直流電源に重畳し、通信線３００を介してリモコン側ブロック２００に出力する出力回路、通信線３００を介してリモコン側ブロック２００から送信されたＡＭ変調波からデータを復調する復調回路などを有している。
【００４８】
ＥＥＰＲＯＭ１０３は、制御部１０１の制御動作に必要なデータ（ＲＯＭ１０１ｂに記憶されるデータとは異なるデータ）を記憶する不揮発性メモリである。ＥＥＰＲＯＭ１０３にもディフォルトデータが記憶されるが、例えば給湯装置１の製品を特定するための情報（ＩＤコードなど）や修理履歴などの情報が記憶される。寿命警告動作の寿命判別におけるオンオフ燃焼のカウント値を比較する所定値のデータはＥＥＰＲＯＭ１０３に記憶されている。
【００４９】
電源部１０４は、例えばスイッチング電源からなり、例えば１００Ｖの交流電源から給湯装置側ブロック１００内の各回路やリモコン側ブロック２００内の各回路の駆動電源（直流電圧電源）を生成するものである。
【００５０】
次に、リモコン側ブロック２において、制御部２０１は、リモコン装置の動作を制御するもので、主としてＣＰＵ２０１ａ、ＲＯＭ２０１ｂ及びＲＡＭ２０１ｃを１チップに内蔵してなるマイクロコンピュータで構成されている。
【００５１】
ＣＰＵ２０１ａはＲＯＭ２０１ｂに記憶されている制御プログラムを実行することによりリモコン装置全体の動作を制御するものである。ＲＯＭ２０１ｂにはＣＰＵ２０１ａの制御プログラムやこの制御プログラムを実行するために必要なディフォルトデータなどが記憶されている。また。ＲＡＭ２０１ｃはＣＰＵ２０１ａが制御プログラムを実行するためのワークエリアを提供するもので、ＲＯＭ２０１ｂから読み出された制御プログラムやこの制御プログラムの実行により生成される種々のデータを一時的に保存する。
【００５２】
通信部２０２は、給湯装置側ブロック１００とのデータ通信を制御するものである。通信部２０２は、所定の搬送波を発生する搬送波発生回路、制御部２０２から入力されるデジタルデータで搬送波をＡＳＫ方式によりＡＭ変調する変調回路、通信線３を介してＡＭ変調波を給湯装置１に出力する出力回路、通信線３００を介して給湯装置側ブロック１００から送信されたＡＭ変調波と駆動電源を分離する電源分離回路、ＡＭ変調波からデータを復調する復調回路などを有している。
【００５３】
ＥＥＰＲＯＭ２０３は、制御部２０１の制御動作に必要なデータ（ＲＯＭ２０１ｂに記憶されるデータとは異なるデータ）を記憶する不揮発性メモリである。
【００５４】
操作部２０４は、主に給湯装置１に対する遠隔操作の操作情報を入力するものである。操作部２０４は、例えば運転オン／オフ、給湯温度、風呂機能がある場合は風呂湯量及び風呂の水位の設定、風呂の自動運転モード設定などの操作ボタンとこの操作ボタンの操作を電気信号に変換して制御部２０１に入力するスイッチを主要構成とする。操作ボタンは、リモコンの操作パネルに設けられている。
【００５５】
表示部２０５は、操作部２０４の操作内容、給湯装置１の動作状態などの情報を表示するものである。表示部２０５は、例えば液晶ディスプレイあるいは蛍光表示管などで構成され、操作ボタンと同様にリモコンの操作パネルに設けられている。
【００５６】
次に、給湯装置１の本発明に係る熱交換器の寿命警告機能の動作制御について、図３，図４のフローチャートを用いて説明する。
【００５７】
図３は、熱交換器の寿命警告機能の動作制御の第１実施形態を示すフローチャートである。同図に示すフローチャートは、給湯装置１が使用場所に設置され、主電源がオンになり、給湯動作可能状態になると、実行される。
【００５８】
まず、燃焼器３がオンオフ燃焼の回数に関係した数値をカウントするカウンタＦＣ（ＣＰＵ１０１に内蔵されている）の値が「０」にリセットされる（Ｓ１）。続いて、給湯動作の待機状態となり（Ｓ２のループ）、この待機状態において、給湯栓１２が開かれ、缶体水量センサ６３の検出信号により所定の最低作動水量以上が熱交換器４に供給されていることが検出されると（Ｓ２：ＹＥＳ）、燃焼器３の燃焼が開始される（Ｓ３）。すなわち、送風ファン３４を駆動して燃焼室２ａに空気が供給されるとともに、電磁ポンプ９７を作動してノズル３１にオイルが供給され、所定のタイミングで一対の電極棒３２に点火トランス３３から高圧が印加されてノズル３１から噴霧されるオイルに点火される。点火の成否はフォトトランジスタ３６により検出され、燃焼器３の燃焼が開始されると、電極棒３２への高圧供給が停止される。
【００５９】
また、燃焼器３の燃焼が開始されると同時に、タイマ１０１ｄにより当該燃焼の継続時間ｔの計時が開始される（Ｓ４）。その後、３０秒未満の時間内で、例えば給湯栓１２が閉じられたり、熱交換器４に供給される水量が最低作動水量未満になるなどして燃焼器３の燃焼動作が停止されると（Ｓ５：ＹＥＳ）、このときの燃焼はオンオフ燃焼であるとしてステップＳ１７に移行し、カウンタＦＣのカウント値が「１」だけインクリメントされる。
【００６０】
続いて、カウンタＦＣのカウント値が所定の値（例えば４０万）以上になっているか否かが判別され（Ｓ１８）、カウンタＦＣのカウント値が所定の値未満であれば（Ｓ１８：ＮＯ）、ステップＳ２に戻り、燃焼動作の待機状態となる。一方、カウンタＦＣのカウント値が所定の値以上であれば（Ｓ１８：ＹＥＳ）、オンオフ燃焼の繰り返し、すなわち、不完全燃焼の繰り返し、により発生した煤が熱交換器４のフィン４１に堆積して、いわゆるフィン詰まりとなり、熱交換器４の寿命時期であるとして、リモコン２００の表示部２０５にその旨の警告表示が行われ（Ｓ１９）、ステップＳ２に戻り、燃焼動作の待機状態となる。
【００６１】
また、燃焼開始から３０秒以上１分未満の時間内で燃焼器３の燃焼動作が停止されると（Ｓ７：ＹＥＳ）、このときの燃焼はオンオフ燃焼であるとしても不完全燃焼による煤が熱交換器４のフィン４１に堆積するに至らない燃焼であるとして、カウンタＦＣのカウントを行うことなくステップＳ２に戻り、燃焼動作の待機状態となる。
【００６２】
また、燃焼開始から１分以上、燃焼が継続した場合は（Ｓ８：ＹＥＳ）、当該燃焼は比例燃焼として燃焼開始から３０分を経過するまで、燃焼が１分継続する毎に（Ｓ１０：ＹＥＳ）、すなわち、燃焼時間ｔが２分、３分、…となる毎にカウンタＦＣのカウント値が所定の値（例えば１００）ずつデクリメントされる（Ｓ１２）。ただし、カウンタＦＣのカウント値が「０」より小さくなる場合は（Ｓ１３：ＹＥＳ）、カウンタＦＣのカウント値は「０」に保持される（Ｓ１４）。また、燃焼開始から３０分が経過した時は（Ｓ１１：ＹＥＳ）、カウンタＦＣのカウント値は「０」にリセットされ（Ｓ１４）、ステップＳ２に戻り、燃焼動作の待機状態となる。なお、ステップＳ１９による寿命警告表示が行われている場合は（Ｓ１５：ＹＥＳ）、その寿命警告表示が消灯されて（Ｓ１６）、ステップＳ２に戻り、燃焼動作の待機状態となる。
【００６３】
上記処理において、比例燃焼の場合は１分経過する毎にカウンタＦＣのカウント値を所定値ずつデクリメントしているのは、比例燃焼によって熱交換器４のフィン４１に堆積した煤が吹き飛ばされ、フィン詰まりが低減されることが確認されているからである。比例燃焼の燃焼時間ｔによりフィン詰まりの低減度は変化し、燃焼時間ｔが長いほど増加する。このため、本実施形態では、フィン詰まりの低減度がリニアに変化するとして、１分経過する毎に所定値ずつカウンタＦＣのカウント値をデクリメントしている。なお、フィン詰まりの低減度がノンリニアに変化するとして、１分経過する毎にカウンタＦＣのカウント値をデクリメントする量を異ならせてもよい。具体的には所定値に重み係数を乗じて１分経過する毎のデクリメントする値とし、その重み係数を１分経過する毎に増加させるようにする。また、本実施形態では比例燃焼が１分継続する毎にカウンタＦＣのカウント値をデクリメントするようにしているが、このデクリメントするタイミングは１分経過時に限定されるものではなく、給湯装置１の熱交換器４の特性により適宜のタイミングを設定することができる。
【００６４】
また、比例燃焼が３０分以上も継続すると、フィン詰まりはほぼ解消される状態に改善されると推定されるから、この場合は、カウンタＦＣのカウント値を「０」にリセットするようにしている。なお、カウンタＦＣのカウント値をリセットするタイミングは３０分経過時に限定されるものではなく、給湯装置１の熱交換器４の特性により実験的に確認される適宜の経過時間を設定することができる。
【００６５】
なお、上記処理では、カウンタＦＣのカウント値が所定の値に達すると、警告表示をするようにしていたが、警告表示に代えて給湯装置１の給湯能力を制限するようにしてもよい。このようにすれば、ユーザは給湯能力の低下により給湯装置１の異常に気付くため、ユーザにサービスマンによるメンテナンスの必要性をより強く意識させることができる。
【００６６】
上記のように、第１実施形態に係る熱交換器の寿命警告機能の動作制御では、短時間に燃焼器３を燃焼／停止させる燃焼動作（オンオフ燃焼動作）が所定の回数以上繰り返されると、熱交換器４のフィン４１の隙間に不完全燃焼により発生した煤が堆積して当該熱交換器４の熱交換率を低下し、寿命に近くなったと推定して警告表示するようにしているので、ユーザはその警告表示を見て好適なタイミングでサービスマンを呼んでメンテナンスを受けることができる。
【００６７】
また、通常、給湯装置１では比例燃焼とオンオフ燃焼とが適当に組み合わされて給湯動作が行われるため、オンオフ燃焼の繰り返しによりフィン詰まりが進行したとしても、その後の比例燃焼によりそのフィン詰まりが低減されることがあるので、そのようなフィン詰まりの進行特性を考慮して比例燃焼が行われた場合、積算したオンオフ燃焼の繰り返し回数に関係したカウント値を減算するようにしているので、熱交換器４の寿命時期の推定をより適切に行うことができる。
【００６８】
図４は、熱交換器の寿命警告機能の動作制御の第２実施形態を示すフローチャートである。同図に示すフローチャートも給湯装置１が使用場所に設置され、主電源がオンになり、給湯動作可能状態になると、実行される。
【００６９】
第１実施形態では、熱交換器４の寿命の時期が推定されると、その旨を警告表示だけするようにしていたが、第２実施形態では、熱交換器４の寿命の時期が推定されると、その旨を警告表示するだけでなく、一旦運転を停止し、その後、ユーザにより運転スイッチのリセット操作が行われると、所定時間（例えば５０時間）だけ通常の運転を可能にし、その所定時間（５０時間）が経過した後は燃焼能力や水量を制限するようにしてユーザに給湯装置１のメンテナンスの必要性を知らせるようにしたものである。
【００７０】
図４に示すフローチャートにおいて、ステップＳ２１〜ステップＳ３６は、図３に示すフローチャートのステップＳ１〜ステップＳ１６と同一で、ステップ３７以降の処理が図３に示すフローチャートとは異なる。
【００７１】
まず、カウンタＦＣの値が「０」にリセットされる（Ｓ２１）。続いて、給湯動作の待機状態となり（Ｓ２２のループ）、この待機状態において、給湯栓１２が開かれ、缶体水量センサ６３の検出信号により所定の最低作動水量以上が熱交換器４に供給されていることが検出されると（Ｓ２２：ＹＥＳ）、燃焼器３の燃焼が開始される（Ｓ２３）。
【００７２】
また、燃焼器３の燃焼が開始されると同時に、タイマ１０１ｄにより当該燃焼の継続時間ｔの計時が開始される（Ｓ２４）。その後、３０秒未満の時間内で、例えば給湯栓１２が閉じられたり、熱交換器４に供給される水量が最低作動水量未満になるなどして燃焼器３の燃焼動作が停止されると（Ｓ２５：ＹＥＳ）、このときの燃焼はオンオフ燃焼であるとしてステップＳ３７に移行し、カウンタＦＣのカウント値が「１」だけインクリメントされる（Ｓ３７）。
【００７３】
続いて、フィン詰まりに基づく熱交換器４の寿命時期の警告表示が行われているか否かが判別され（Ｓ３８）、その警告表示が行われていなければ（Ｓ３８：ＮＯ）、続いて、カウンタＦＣのカウント値が所定の値（例えば４０万）以上になっているか否かが判別され（Ｓ３９）、カウンタＦＣのカウント値が所定の値未満であれば（Ｓ３９：ＮＯ）、ステップＳ２２に戻り、燃焼動作の待機状態となる。一方、カウンタＦＣのカウント値が所定の値以上であれば（Ｓ３９：ＹＥＳ）、給湯装置１の運転が強制的に停止され（Ｓ４０）、リモコン２００の表示部にエラーコードが表示される（Ｓ４１）。
【００７４】
その後、給湯装置１の運転停止に対してユーザが運転スイッチのリセット操作を行うと（Ｓ４２：ＹＥＳ）、リモコン２００の表示部に寿命時期の警告表示とエラーコードとが表示される（Ｓ４３，Ｓ４４）。そして、運転スイッチのリセット操作後の燃焼時間Ｔの積算が開始され（Ｓ４５）、給湯装置１は通常の運転（能力や流量が制限されない運転）が可能になり（Ｓ４６）、ステップＳ２２に戻り、待機状態となる。
【００７５】
一方、ステップＳ３８で寿命時期の警告表示とエラーコードの表示が行われていれば（Ｓ４１：ＹＥＳ）、運転スイッチによるリセット処理後であるか否かが判別され（Ｓ４７）、運転スイッチによるリセット処理後でなければ（Ｓ４７：ＮＯ）、ステップＳ４２に移行し、運転スイッチによるリセット処理後であれば（Ｓ４７：ＹＥＳ）、更に燃焼時間Ｔが所定の時間（例えば５０時間）以上となっているか否かが判別され（Ｓ４８）、燃焼時間Ｔが所定の時間未満であれば（Ｓ４８：ＮＯ）、ステップＳ４２に移行し、燃焼時間Ｔが所定の時間以上であれば（Ｓ４８：ＹＥＳ）、給湯装置１の給湯能力や水量を制限し（Ｓ４９）、能力制限下での運転を可能にしてステップＳ２２に移行する。
【００７６】
最初に熱交換器４の寿命が判別されたとき、寿命時期の警告表示を行わず、給湯装置１の運転を停止させているのは、ユーザは、少量使用や短時間使用を連続したことによって給湯装置１が故障したとは認識し難いため、運転を強制的に停止させることにより異常が発生していることを認識し易くするためである。従って、その後ユーザにより運転スイッチによるリセット処理が行われたときは、燃焼時間Ｔが５０時間経過するまでは通常通り使用可能とし、その後の運転の能力を制限することによってユーザに給湯装置１の異常を確実に知らせるようにしている。
【００７７】
フローに戻り、燃焼開始から３０秒以上１分未満の時間内で燃焼器３の燃焼動作が停止されると（Ｓ２７：ＹＥＳ）、このときの燃焼はオンオフ燃焼であるとしても不完全燃焼による煤が熱交換器４のフィン４１に堆積するに至らない燃焼であるとしてステップＳ２２に戻り、燃焼動作の待機状態となる。
【００７８】
また、燃焼開始から１分以上、燃焼が継続した場合は（Ｓ２８：ＹＥＳ）、当該燃焼は比例燃焼として燃焼開始から３０分を経過するまで、燃焼が１分継続する毎に（Ｓ３０：ＹＥＳ）、すなわち、燃焼時間ｔが２分、３分、…となる毎にカウンタＦＣのカウント値が所定の値（例えば１００）ずつデクリメントされる（Ｓ３２）。ただし、カウンタＦＣのカウント値が「０」より小さくなる場合は（Ｓ３３：ＹＥＳ）、カウンタＦＣのカウント値は「０」に保持される（Ｓ３４）。また、燃焼開始から３０分が経過した時は（Ｓ３１：ＹＥＳ）、カウンタＦＣのカウント値は「０」にリセットされ（Ｓ３４）、ステップＳ２２に戻り、燃焼動作の待機状態となる。なお、ステップＳ４３による寿命時期の警告表示が行われている場合は（Ｓ３５：ＹＥＳ）、その警告表示が消灯されて（Ｓ３６）、ステップＳ２２に戻り、燃焼動作の待機状態となる。
【００７９】
上記のように、第２実施形態に係る熱交換器の寿命警告機能の動作制御では、フィン詰まりによる熱交換器４の寿命時期が来たと推定されると、給湯装置１の運転を強制的に停止させ、ユーザが運転スイッチによりリセット処理を行うと、その後は給湯装置１の能力に制限を設けつつ、運転を可能にしているので、給湯装置１の給湯動作の異常によりユーザに確実に異常を認識させ、メンテナンスの時期を知らせることができる。
【００８０】
また、熱交換器４の寿命時期を識別したとしても給湯装置１は必ずしも給湯動作ができない状態の故障をしているわけではないため、ユーザに運転スイッチのリセット処理により給湯可能とすることで、直ちに使用禁止とすることによる不都合をユーザに感じさせることはない。
【００８１】
上記実施形態では、３０秒以内のオンオフ燃焼を全て１回とカウントするようにしているが、３０秒以内の時間を分割し、燃焼時間が短いほど加算するカウント値を大きくするようにしてもよい。例えば１０秒以内のオンオフ燃焼のときはカウント値を＋３とし、１０秒〜２０秒のオンオフ燃焼のときはカウント値を＋２とし、２０秒〜３０秒のオンオフ燃焼のときはカウント値を＋１としてもよい。
【００８２】
なお、カウンタＦＣおよび積算時間Ｔのデータは定期的にＥＥＰＲＯＭ１０３に保存させるとよい。このようにすれば、停電などにより給湯装置１の主電源がオフになってもカウンタＦＣおよび燃焼時間Ｔのデータを消失することがない。
【００８３】
また、上記実施形態では、不完全燃焼となるオンオフ燃焼や短時間の比例燃焼の回数に相当する数値をカウントするようにしていていたが、不完全燃焼となるオンオフ燃焼や短時間の比例燃焼の燃焼時間の積算値をカウントし、その積算値が所定の積算時間になると、熱交換器４の寿命時期と推定するようにしても良い。
【００８４】
また、上記実施形態では、熱交換器４の寿命時期を警告表示によりユーザに報知していたが、音や音声などでユーザに報知するようにしてもよい。
【００８５】
なお、上記実施形態では、オンオフ燃焼、短時間の比例燃焼に対応して燃焼回数をカウントあるいは燃焼時間を計時し、所定時間以上の比例燃焼により減算処理をしているが、所定時間以上の比例燃焼による減算を行わずに、累積カウントあるいは累積時間のみを行っても良いことは勿論のことである。また、所定時間以上の比例燃焼によるカウント値、あるいは計時時間の減算を行う監視報知と、その減算を行わない監視報知とを同時に行うようにしてもよい。
【００８６】
また、上記実施形態では、オイルを用いた給湯装置について説明したが、ガスなどの他の燃料を用いた給湯装置であって、本願と同様の課題を有する給湯装置に本願発明を適用することができる。
【００８７】
【発明の効果】
以上説明したように、請求項１記載の発明によれば、燃焼器が所定時間内の燃焼を行ったときには、その燃焼回数もしくは燃焼時間を積算カウントし、その積算燃焼時間が所定値に達するか、もしくは積算燃焼時間が所定時間に達すると、報知するようにしたので、フィン詰まりによる熱交換器の寿命時期を適切にユーザに知らせることができる。
【００８８】
請求項２記載の発明によれば、燃焼器がオンオフ燃焼する毎に所定の数値をカウントし、そのカウントの積算値が所定の値に達すると、フィン詰まりによる熱交換器の寿命時期としてその旨を報知するようにしたので、請求項１記載の発明と同様に熱交換器の寿命時期を適切にユーザに知らせることができる。
【００８９】
請求項３記載の発明によれば、燃焼器がオンオフ燃焼する際に、計時手段でそのオンオフ燃焼時間を計時し、その計時値が予め設定された所定値に達すると、報知するようにしたので、本発明においても請求項１記載の発明と同様に熱交換器の寿命時期を適切にユーザに知らせることができる。
【００９０】
また、請求項４記載の発明によれば、請求項２又は３に記載の給湯装置において、燃焼器がオンオフ燃焼する毎にその燃焼時間を計時し、その燃焼時間に応じた値をカウントするようにしたので、フィン詰まりによる熱交換器の寿命時期の推定精度を向上させることができる。
【００９１】
また、請求項５記載の発明によれば、請求項１〜３のいずれかに記載の給湯装置において、燃焼器が比例燃焼する毎にカウント手段でカウントした値を予め設定された所定の値だけ減算するようにしたので、比例燃焼によるフィン詰まりの低減効果が加味され、フィン詰まりによる熱交換器の寿命時期の推定精度をより向上させることができる。
【００９２】
また、請求項６記載の発明によれば、請求項１〜３のいずれかに記載の給湯装置において、燃焼器が所定時間以上の比例燃焼をしたとき、カウント手段でカウントした値をゼロにリセットするようにしたので、比例燃焼によるフィン詰まりの解消効果を加味され、フィン詰まりによる熱交換器の寿命時期の推定精度をより向上させることができる。
【００９３】
また、請求項７記載の発明によれば、燃焼器がオンオフ燃焼する毎に所定の数値をカウントし、そのカウントの積算値が所定の値に達すると、燃焼器の燃焼動作を禁止するようにしたので、給湯装置の異常により熱交換器の寿命時期を確実にユーザに知らせることができる。
【００９４】
また、請求項８記載の発明によれば、請求項７記載の給湯装置において、操作手段の所定の操作により燃焼器の燃焼動作の禁止が解除されると、熱交換器の寿命時期を報知するとともに、その後の燃焼器の燃焼時間を積算し、報知手段による寿命時期の報知がされている状態で燃焼時間の積算値が所定値に達すると、給湯能力を制限するようにしたので、給湯装置の動作の異常により、熱交換器の寿命時期が推定された場合にも直ちに給湯装置の使用を完全に禁止する不都合を与えることなく確実に給湯装置のメンテナンス時期をユーザに知らせることができる。
【図面の簡単な説明】
【図１】本発明に係る給湯装置の一実施形態の全体構成を示す図である。
【図２】本発明に係る給湯装置の給湯制御に関係するブロック構成図である。
【図３】本発明に係る熱交換器の寿命警告機能の動作制御の第１実施形態を示すフローチャートである。
【図４】本発明に係る熱交換器の寿命警告機能の動作制御の第２実施形態を示すフローチャートである。
【符号の説明】
１  給湯装置
２  燃焼缶体
３  燃焼器
３１  ノズル
３２  電極棒
３３  点火トランス
３４  送風ファン
３５  回転数センサ
３６  フォトトランジスタ
３７  バーナハイリミッタ
４  熱交換器
４１  フィン
４２  銅管
５  排気筒
６  給水部
６１  給水管
６２  フィルタ
６３  缶体水量センサ
６４  入水サーミスタ
７  給湯部
７１  給湯管
７２  缶体水量サーボ
７３  缶体サーミスタ
７４  出湯サーミスタ
８  給水バイパス部
８１  バイパス管
８２  バイパス水量サーボ
８３  バイパス水量センサ
９  給油部
９１  第１油管
９２  第２油管
９３  第３油管
９４  制御弁
９５  油温サーミスタ
９６  電磁弁
９７  電磁ポンプ
１０  給湯制御部
１１  湯水攪拌機構
１２  給湯栓
１００  給湯装置側の制御ブロック
１０１ａ  ＣＰＵ
１０１ｂ  ＲＯＭ
１０１ｃ  ＲＡＭ
１０１ｄ  タイマ
１０２  通信部
１０３  ＥＥＰＲＯＭ
１０４  電源部
２００  リモコン側の制御ブロック
２０１  制御部
２０１ａ  ＣＰＵ
２０１ｂ  ＲＯＭ
２０１ｃ  ＲＡＭ
２０２  通信部
２０３  ＥＥＰＲＯＭ
２０４  操作部
２０５  表示部
【図１】
2004169940.tif 000003
【図２】
2004169940.tif 000004
【図３】
2004169940.tif 000005
【図４】
2004169940.tif 000006